(57)【要約】【課題】表示中の映像に圧縮画像領域が含まれていることに気付かないで、ユーザが表示中の映像に対して画質調整処理を行ってしまう可能性を低減できるようにすることを目的とする。【解決手段】表示装置１００は、映像データを受信する送受信部１０１と、映像データが圧縮されているか否かを判定する圧縮判定部１０３と、映像データに基づく映像を表示する表示部１０９と、表示部１０９に表示する映像の画質を調整する指示を取得する操作部１１３と、当該指示が取得されたときに表示部１０９が表示している映像が、圧縮された映像データに基づく圧縮映像を少なくとも一部に含む場合に、圧縮映像を表示中であることを示す警告情報を表示部１０９に表示させるＣＰＵ１１２と、を有する。【選択図】図３
2016119594.tif 000002
【特許請求の範囲】
【請求項１】
映像データを受信する受信手段と、
前記映像データが圧縮されているか否かを判定する判定手段と、
前記映像データに基づく映像を表示する表示手段と、
前記表示手段に表示する前記映像の画質を調整する指示を取得する取得手段と、
前記指示が取得されたときに前記表示手段が表示している前記映像が、圧縮された前記映像データに基づく圧縮映像を少なくとも一部に含む場合に、前記圧縮映像を表示中であることを示す警告情報を表示させる表示制御手段と
を有することを特徴とする表示装置。
【請求項２】
前記受信手段は、映像フレームからスライス領域を切り出して生成されたスライス映像データを前記映像データとして受信し、
前記表示手段は、前記スライス映像データに基づく前記映像を表示し、
前記表示制御手段は、前記取得手段が前記指示を取得したときに前記表示手段が表示している前記映像に、圧縮された前記スライス映像データに基づくスライス映像が含まれている場合に、前記警告情報を表示させることを特徴とする請求項１に記載の表示装置。
【請求項３】
複数の前記スライス領域に関連付けて、前記スライス映像データが圧縮されているか否かを示す圧縮情報を記憶する記憶手段をさらに有し、
前記判定手段は、前記圧縮情報に基づいて、前記取得手段が前記指示を取得したときに前記表示手段が表示している前記映像に、圧縮された前記スライス映像データに基づくスライス映像が含まれているか否かを判定することを特徴とする請求項２に記載の表示装置。
【請求項４】
前記記憶手段は、前記受信手段が前記スライス映像データを受信すると、当該スライス映像データに付随している制御情報に基づいて、当該スライス映像データに対応する前記スライス領域に関連付けられた前記圧縮情報を更新することを特徴とする請求項３に記載の表示装置。
【請求項５】
前記表示制御手段は、前記取得手段が前記指示を取得すると、当該スライス映像データに対応する前記スライス領域を示す前記警告情報を表示させることを特徴とする請求項２から４のいずれか１項に記載の表示装置。
【請求項６】
前記取得手段は、前記映像の画質を調整する領域を示す調整領域情報をさらに取得し、
前記表示制御手段は、前記調整領域情報が示す領域に、圧縮された前記スライス映像データに基づく前記スライス映像が含まれている場合に、前記警告情報を表示させることを特徴とする請求項２から５のいずれか１項に記載の表示装置。
【請求項７】
前記表示制御手段は、前記映像データが不可逆圧縮されている場合に前記警告情報を表示させ、前記映像データが可逆圧縮されている場合に前記警告情報を表示させないことを特徴とする請求項１から６のいずれか１項に記載の表示装置。
【請求項８】
映像データを受信する受信ステップと、
前記映像データが圧縮されているか否かを判定する判定ステップと、
前記映像データに基づく映像を表示手段に表示する表示ステップと、
前記表示手段に表示する前記映像の画質を調整する指示を取得する取得ステップと、
前記指示が取得されたときに前記表示手段が表示している前記映像が、圧縮された前記映像データに基づく圧縮映像を少なくとも一部に含む場合に、前記圧縮映像を表示中であることを示す警告情報を表示させる表示制御ステップとを有することを特徴とする制御方法。
【発明の詳細な説明】
【技術分野】
【０００１】
本発明は、映像を表示する表示装置と、当該表示装置に映像データを出力する電子機器と、当該表示装置の制御方法と、当該電子機器の制御方法とに関する。
【背景技術】
【０００２】
特許文献１には、受信したデジタルテレビジョン信号が、アスペクト比が１６：９である非圧縮信号であるか、アスペクト比が４：３である圧縮信号であるかを判定する表示装置が記載されている。特許文献１において、表示装置は、受信したデジタルテレビジョン信号が、アスペクト比が４：３である圧縮信号である場合は、当該圧縮信号に伸張処理を施す。
【先行技術文献】
【特許文献】
【０００３】
【特許文献１】特開２００２−１１２０６１号公報
【発明の概要】
【発明が解決しようとする課題】
【０００４】
特許文献１では、表示装置によって受信されたデジタルテレビジョン信号に含まれる１フレーム分の映像データに、非可逆圧縮方式及び可逆圧縮方式のいずれかで圧縮された画像データと、圧縮されていない画像データとが混在する場合を考慮していない。例えば、表示装置によって受信された１フレーム分の映像データが複数の領域から構成され、当該複数の領域の一部のみが非可逆圧縮方式及び可逆圧縮方式のいずれかで圧縮された画像データを含む場合を考慮していない。
【０００５】
例えば、表示装置によって受信された１フレーム分の映像データが複数の領域から構成され、当該複数の領域の一部のみが所定の圧縮符号化方式で圧縮された画像データを含む場合には、次のような問題が考えられる。以下、所定の圧縮符号化方式（非可逆圧縮符号化方式又は可逆圧縮符号化方式）で圧縮された画像データを含む領域を「圧縮画像領域」と呼び、圧縮されていない画像データを含む領域を「非圧縮画像領域」と呼ぶ。
一つ目の問題は、１フレーム分の映像データに、圧縮画像領域と非圧縮画像領域とが混在する場合に生じる。この場合において、圧縮画像領域内の画像データが非可逆圧縮符号化方式で符号化されている場合、ユーザは、圧縮画像領域内の画像の画質が非圧縮画像領域内の画像の画質よりも悪いと感じてしまう可能性がある。圧縮画像領域内の画像の画質が非圧縮画像領域内の画像の画質よりも悪いと感じたユーザは、圧縮画像領域内の画像の画質を良くするために、１フレーム分の映像データに基づく画像全体に対して所定の画質調整処理を行うことが考えられる。しかしながら、非可逆圧縮符号化方式により生じた画質の劣化は、画質調整処理を行っても改善されないことがある。その結果、ユーザが、画質調整処理を行ったにもかかわらず画質が改善されないことに不満を抱いてしまうという問題がある。
【０００６】
二つ目の問題も、１フレーム分の映像データに、圧縮画像領域と非圧縮画像領域とが混在する場合に生じる。例えば、圧縮画像領域内の画像の画質が非圧縮画像領域内の画像の画質よりも悪いと感じたユーザは、圧縮画像領域内の画像の画質を良くするために、１フレーム分の映像データに基づく画像全体に対して所定の画質調整処理を行うことが考えられる。しかしながら、ユーザが行った画質調整処理によっては、非可逆圧縮符号化方式により生じた画質の劣化を改善できないだけでなく、非圧縮画像領域内の画像の画質についても劣化させてしまうことがある。
【０００７】
そこで、本発明は、表示中の映像に圧縮画像領域が含まれていることに気付かないで、ユーザが表示中の映像に対して画質調整処理を行ってしまう可能性を低減できるようにすることを目的とする。
【課題を解決するための手段】
【０００８】
上記の課題を解決するために、本発明に係る表示装置は、映像データを受信する受信手段と、前記映像データが圧縮されているか否かを判定する判定手段と、前記映像データに基づく映像を表示する表示手段と、前記表示手段に表示する前記映像の画質を調整する指示を取得する取得手段と、前記指示が取得されたときに前記表示手段が表示している前記映像が、圧縮された前記映像データに基づく圧縮映像を少なくとも一部に含む場合に、前記圧縮映像を表示中であることを示す警告情報を表示させる表示制御手段と、を有することを特徴とする。
【発明の効果】
【０００９】
本発明によれば、表示中の映像に圧縮画像領域が含まれていることに気付かないで、ユーザが表示中の映像に対して画質調整処理を行ってしまう可能性を低減できる。
【図面の簡単な説明】
【００１０】
【図１】実施形態１における表示システム１の構成を説明するための図である。
【図２】実施形態１における電子機器５０の構成を説明するための図である。
【図３】実施形態１における表示装置１００の構成を説明するための図である。
【図４】表示部１０９に表示されるグラフィックスの一例を説明するための図である。
【図５】表示画面とスライス領域との関係を説明するための図である。
【図６】表示装置１００の動作のフローチャートである。
【図７】実施形態２における表示部１０９に表示されるグラフィックスの一例を説明するための図である。
【図８】実施形態３における表示装置１００における警告グラフィックスの表示例を説明するための図である。
【図９】実施形態４における表示装置１００における警告グラフィックスの表示例を説明するための図である。
【発明を実施するための形態】
【００１１】
［実施形態１］
図１は、実施形態１における表示システム１の構成を説明するための図である。表示システム１は、電子機器５０及び表示装置１００を備える。電子機器５０と表示装置１００とは、例えばＤｉｓｐｌａｙＰｏｒｔの規格に対応したケーブル１５０により接続される。ケーブル１５０は、電子機器５０と表示装置１００との間で伝送される映像データの解像度に応じた本数の信号線により構成されている。
【００１２】
電子機器５０は、例えばパーソナルコンピュータであり、表示装置１００に表示させる映像コンテンツを、表示装置１００に送信する。電子機器５０は、例えば、解像度が４０９６×２１６０の４Ｋ２Ｋ、解像度が８１９２×４３２０の８Ｋ４Ｋの映像コンテンツを記憶媒体から読み出し、読み出した映像コンテンツを、表示装置１００に送信する映像データに変換する。
【００１３】
電子機器５０は、映像データの伝送量を低減させるために、ＶＥＳＡ（Video Electronics Standards Association）で規格化されているDisplay Stream Compression（以下、ＤＳＣという）方式を用いて、映像データを圧縮する。電子機器５０は、映像データに所定の圧縮方式でフレーム内圧縮を施してから表示装置１００に送信する。電子機器５０は、例えば、映像データを複数のスライス領域に分割して、一つ前の映像フレームと比較して変化が生じたスライス領域の映像データ（以下、「スライス映像データ」という）を送信するスライス転送を行う。ここで、スライス領域は、表示画面の領域を分割して生成される複数の領域のうちの一つの領域である。スライス映像データは、スライス領域を最新の映像フレームから切り出すことにより生成された映像データである。
【００１４】
電子機器５０から表示装置１００に、画面の全領域に対応する映像データの代わりにスライス映像データを送信することにより、伝送データ量を減らすことができる。その結果、伝送時に映像データに施す圧縮の圧縮率を比較的低くすることができるので、圧縮による画質の劣化を抑制することができる。
【００１５】
表示装置１００は、例えば液晶ディスプレイ又はプロジェクタであり、電子機器５０から受信した映像データに基づく映像を表示する。電子機器５０から受信したスライス映像データが圧縮されている場合、表示装置１００は、受信したスライス映像データを復号化して展開し、展開後のスライス映像データの画質を調整する。表示装置１００は、画質を調整したスライス映像データを、次に表示する予定の映像フレームの映像データに重畳させて合成することにより、映像を表示する。表示装置１００は、表示中の映像に、スライス映像データに基づく圧縮映像が含まれているか否かを判定し、判定結果に基づく内容を含むＯＳＤ（On Screen Display）画像を、映像に重畳して表示する。
【００１６】
このようにすることで、ユーザは、表示されている映像に、圧縮映像が含まれているか否かを認識できる。その結果、表示されている映像に圧縮映像が含まれている場合に、ユーザが、映像の画質が悪いと感じて画質の調整を行ってしまい、圧縮映像の領域以外の領域における映像の画質を悪化させてしまうことを防止できる。
以下、表示装置１００の構成と動作を詳細に説明する。
【００１７】
図２は、実施形態１における電子機器５０の構成を説明するための図である。電子機器は、コンテンツ保持部５１と、映像生成部５２と、符号化部５３と、送信部５４と、操作部５５と、ＣＰＵ（Central Processing Unit）５６とを有する。
【００１８】
コンテンツ保持部５１は、電子機器５０が表示装置１００に送信する映像コンテンツを保持する。コンテンツ保持部５１は、例えば、電子機器５０が内蔵するハードディスクドライブ（以下、ＨＤＤという）又は半導体メモリである。コンテンツ保持部５１は、電子機器５０と着脱可能な形態の記憶媒体により構成されてもよい。
【００１９】
映像生成部５２は、表示装置１００に送信する対象となる映像コンテンツを、映像フレーム単位でコンテンツ保持部５１から読み出す。映像生成部５２は、コンテンツ保持部５１から読み出した映像フレームにおいて、一つ前の映像フレームと比較して変化が生じたスライス領域に対応する映像データを符号化部５３に出力する。
【００２０】
符号化部５３は、映像生成部５２から入力された映像データを符号化して圧縮し、圧縮した映像データを送信部５４に出力する。符号化部５３は、ＣＰＵ５６の制御に基づいて、映像データを圧縮するか否かを切り替える。符号化部５３は、例えば、映像データのサイズが所定サイズ以上である場合に映像データを圧縮し、映像データのサイズが所定サイズより小さい場合に、映像データを圧縮しないで、そのまま送信部５４に出力する。符号化部５３は、映像データを圧縮する場合、所定のフレーム内圧縮用の符号化方式を用いて、映像データにフレーム内圧縮を施す。
【００２１】
また、符号化部５３は、映像データを圧縮したか否かを示す情報と、当該映像データに対応するスライス領域を特定するための情報とを含む制御情報としてのヘッダ情報を付加した映像データを送信部５４に出力する。符号化部５３は、映像データを圧縮した場合、圧縮したことを示すヘッダ情報を圧縮後の映像データに付加してから、当該映像データを送信部５４に出力する。また、符号化部５３は、映像データを圧縮しない場合、圧縮していないことを示すヘッダ情報を、映像生成部５２から入力された映像データに付加してから、当該映像データを送信部５４に出力する。
【００２２】
送信部５４は、符号化部５３から入力された映像データを伝送用の映像信号に変換し、ケーブル１５０を介して、表示装置１００に映像信号を送信する。具体的には、送信部５４は、ケーブル１５０におけるメインデータチャネル線を介して、映像信号を送信する。
【００２３】
操作部５５は、例えばキーボード及びマウスであり、ユーザからの指示を受け付ける。操作部５５は、例えば、映像コンテンツの再生指示、映像データの圧縮の可否に関する指示、出力設定に関する指示を受け付ける。
【００２４】
ＣＰＵ５６は、ＨＤＤや半導体メモリ等の記憶媒体に格納されたプログラムを実行することにより、電子機器５０の各部を統括的に制御する。ＣＰＵ５６は、操作部５５を介して入力されたユーザの指示に応じて、電子機器５０の各部を制御する。
【００２５】
図３は、実施形態１における表示装置１００の構成を説明するための図である。表示装置１００は、送受信部１０１と、ヘッダ抽出部１０２と、圧縮判定部１０３と、復号化部１０４と、フレームメモリ部１０５と、映像補正部１０６と、グラフィックス生成部１０７と、グラフィックス重畳部１０８と、表示部１０９と、スライス情報記憶部１１０と、記憶部１１１と、ＣＰＵ１１２と、操作部１１３とを有する。
【００２６】
送受信部１０１は、電子機器５０から送信される映像データを含む映像信号を受信する。送受信部１０１は、受信した映像信号に含まれる映像データを抽出して、ヘッダ抽出部１０２に出力する。
【００２７】
送受信部１０１は、表示装置１００がケーブル１５０を介して電子機器５０と接続されたことを検出すると、電子機器５０との間で初期通信を行う。送受信部１０１は、初期通信において、表示装置１００が受信可能な映像解像度、映像周波数、通信規格の対応バージョン等を示す情報を電子機器５０に通知する。また、送受信部１０１は、初期通信において、電子機器５０が出力する映像データに関する情報を取得することもできる。
【００２８】
送受信部１０１は、映像データに関する情報に基づいて、映像データが圧縮されないで伝送されることが予め判明している場合、映像データをヘッダ抽出部１０２に出力することなく、フレームメモリ部１０５に出力する。例えば、送受信部１０１は、映像データがＤＳＣ非対応であることが判明している場合に、映像データをフレームメモリ部１０５に出力する。
【００２９】
ヘッダ抽出部１０２は、送受信部１０１から入力された映像データに付随しているヘッダ情報を抽出し、抽出したヘッダ情報を記憶部１１１に記憶させる。また、ヘッダ抽出部１０２は、ヘッダ情報に基づいて、映像データが、圧縮された映像データ（以下、「圧縮映像データ」という）であるか圧縮されていない映像データ（以下、「非圧縮映像データ」という）であるかを判定する。ヘッダ抽出部１０２は、映像データが圧縮映像データであるか非圧縮映像データであるかを示す情報と、圧縮方式を示す情報とを含む圧縮情報とともに、ヘッダ情報を取り除いた後の映像データを圧縮判定部１０３に出力する。ヘッダ抽出部１０２は、送受信部１０１から入力された映像データにヘッダ情報が含まれていない場合には、圧縮判定部１０３に、映像データが圧縮されていない旨を示す圧縮情報を出力する。
【００３０】
圧縮判定部１０３は、ヘッダ抽出部１０２から入力された圧縮情報に基づいて、入力された映像データが圧縮されているか否かを判定する。圧縮判定部１０３は、ヘッダ抽出部１０２から入力された映像データが圧縮映像データである場合、映像データとともに、圧縮方式を示す情報を復号化部１０４に出力する。圧縮判定部１０３は、受信データが非圧縮映像データであると判定した場合、圧縮判定部１０３から入力された映像データをフレームメモリ部１０５に出力する。
【００３１】
復号化部１０４は、圧縮判定部１０３から入力された映像データを、圧縮判定部１０３から入力された情報が示す圧縮方式に基づいて復号化して展開する。復号化部１０４は、復号化後の映像データをフレームメモリ部１０５に出力する。
【００３２】
フレームメモリ部１０５は、映像フレーム単位で、表示用の映像データを記憶する。フレームメモリ部１０５は、表示部１０９が次に表示する映像フレームに対して少なくとも１つ前の映像フレームの映像データを記憶している。フレームメモリ部１０５は、入力された映像データがスライス映像データである場合に、スライス映像データを、次に表示する予定の映像フレームの映像データに重畳させる。
【００３３】
具体的には、フレームメモリ部１０５は、入力された映像データがスライス映像データである場合、次に表示する予定の映像フレームの映像データにおける、スライス映像データに対応するスライス領域の映像データを、スライス映像データに置き換えることにより、新たな映像データを生成する。フレームメモリ部１０５は、生成した映像データを映像補正部１０６に出力する。
【００３４】
映像補正部１０６は、フレームメモリ部１０５から入力された映像データの画質を調整するために、映像データの値を補正する。具体的には、映像補正部１０６は、操作部１１３を介してユーザから取得した色、コントラスト、ブライトネス等の画質を調整する指示に基づいて映像データの補正値を算出することにより、映像データの輝度及び色度を変更する。映像補正部１０６は、例えば、ＡＳＣ  ＣＤＬ（The American Society of Cinematographers Color Decision List）のような映像補正値を生成する。
【００３５】
グラフィックス生成部１０７は、表示する映像の画質を設定するための画面であるＯＳＤ画像、及びユーザが操作をするためのＧＵＩ（Graphical User Interface）画像等のグラフィックスを生成し、グラフィックス重畳部１０８に出力する。また、グラフィックス生成部１０７は、表示部１０９に表示している映像が圧縮映像であることを警告するグラフィックスを生成する。
【００３６】
グラフィックス重畳部１０８は、ＣＰＵ１１２の制御に基づいて、映像補正部１０６から入力された映像に、グラフィックス生成部１０７が生成したグラフィックスを重畳する。グラフィックス重畳部１０８は、グラフィックスを重畳した映像データを表示部１０９に出力する。
【００３７】
表示部１０９は、グラフィックス重畳部１０８から入力された映像データに基づく映像を表示するパネルである。表示部１０９は、例えば液晶パネル又は有機ＥＬパネルである。表示部１０９は、後述のスライス情報記憶部１１０が記憶している情報が、表示中の映像の少なくとも一部の領域に圧縮映像が含まれていることを示している場合に、圧縮映像が含まれている旨を表示する。
【００３８】
図４は、表示部１０９に表示されるグラフィックスの一例を説明するための図である。画面５００は、表示部１０９の画面全体を示している。画面５００には、画質調整メニュー５０１及び警告グラフィックス５０２が表示されている。画質調整メニュー５０１は、ユーザが画質調整をする操作をしたことに応じて表示されるＯＳＤ画像である。警告グラフィックス５０２は、表示中の映像の少なくとも一部の領域に、伝送用に圧縮されたスライス映像データに基づく圧縮映像が含まれていることを示すＯＳＤ画像である。このように、ユーザが画質調整の操作をした際に、表示部１０９が警告グラフィックス５０２を表示することにより、ユーザは、画質を調整する前に、表示中の映像が圧縮映像を含んでいることを認識できる。
【００３９】
スライス情報記憶部１１０は、表示部１０９が表示中の映像におけるそれぞれのスライス領域に、圧縮映像が表示されているか非圧縮映像が表示されているかを示す圧縮情報を保持している。スライス情報記憶部１１０は、送受信部１０１が新たなスライス映像データを受信すると、圧縮判定部１０３から、受信したスライス映像データに付随するヘッダ情報に基づいて生成された、スライス映像データが圧縮映像データであるか否かを示す圧縮情報を取得する。スライス情報記憶部１１０は、受信したスライス映像データのスライス領域に関連付けて、圧縮情報を記憶する。具体的には、スライス情報記憶部１１０は、受信したスライス映像データのスライス領域の位置を識別するための識別子に関連付けて、圧縮情報を記憶する。
【００４０】
スライス情報記憶部１１０は、送受信部１０１が新たなスライス映像データを受信すると、受信したスライス映像データのスライス領域に関連付けて記憶している圧縮情報を、圧縮判定部１０３から取得した圧縮情報に更新する。このようにすることで、スライス情報記憶部１１０は、表示部１０９に表示されている最新の映像における各スライス領域に関連付けて圧縮情報を記憶した状態を維持することができる。
【００４１】
図５は、表示画面とスライス領域との関係を説明するための図である。画面の垂直方向におけるスライス領域の長さの最小値は、例えば１画素である。また、画面の水平方向におけるスライス領域の長さの最小値は、水平方向の全画素数、水平方向の全画素数の１／２の画素数、水平方向の全画素数の１／４の画素数のいずれかである。
【００４２】
図５（ａ）においては、画面の垂直方向を１１等分し、水平方向を２等分することにより生成された２２の長方形のスライス領域が示されている。それぞれのスライス領域には識別子００１〜０２２が割り当てられている。スライス領域の大きさ及び形状は、上記の場合に限定されず、他の大きさ及び形状であってもよい。
【００４３】
図５（ｂ）は、スライス情報記憶部１１０が記憶している圧縮情報の概念図である。スライス情報記憶部１１０は、図５（ｂ）に示すように、スライス領域の識別子に関連付けて、圧縮映像であるか非圧縮映像であるかを記憶している。スライス情報記憶部１１０は、スライス領域の識別子に対応するメモリアドレスに、圧縮映像であるか非圧縮映像であるかを示すフラグデータとしての０又は１を記憶している。
【００４４】
記憶部１１１は、ＲＯＭ及びＲＡＭを含んで構成される。記憶部１１１は、ＣＰＵ１１２により実行されるプログラムを記憶している。また、映像補正部１０６が映像を補正する際に用いる各種パラメータを記憶している。
【００４５】
ＣＰＵ１１２は、記憶部１１１に記憶されたプログラムを実行することにより、表示装置１００の各部を統括的に制御する。ＣＰＵ１１２は、例えば、表示部１０９に表示させる映像に、各種のグラフィックスを表示させるか否かを制御する表示制御手段として動作する。
【００４６】
操作部１１３は、ユーザが操作可能なスイッチを含んで構成されており、ユーザによる操作を受け付ける。操作部１１３は、例えば、表示部１０９が表示する映像の画質を調整するための指示操作を受け付ける。
【００４７】
続いて、表示装置１００の動作を説明する。
図６は、表示装置１００がユーザの操作を検出してから、表示中の映像が圧縮映像であるか否かを示すグラフィックスを表示するまでにおける、表示装置１００の動作のフローチャートである。
【００４８】
まず、ＣＰＵ１１２は、操作部１１３がユーザの操作を受けたかどうかを監視する（Ｓ１０１）。ＣＰＵ１１２は、操作部１１３がユーザの操作を受けたと判定すると、ユーザの操作内容が画質調整操作であるか否かを判定する（Ｓ１０２）。ＣＰＵ１１２は、ユーザの操作が画質調整操作以外の操作であると判定した場合（Ｓ１０２においてＮｏの場合）、ユーザの操作内容に応じた各種動作を実行する（Ｓ１０３）。
【００４９】
ＣＰＵ１１２は、ユーザの操作が画質調整操作であると判定した場合（Ｓ１０２においてＹｅｓの場合）、Ｓ１０４に進んで、ヘッダ抽出部１０２が記憶部１１１に記憶させたヘッダ情報を参照して、表示部１０９に表示中の映像に、スライス映像データに基づくスライス映像が含まれるか否かを判定する（Ｓ１０４）。ＣＰＵ１１２は、表示部１０９に表示中の映像にスライス映像が含まれると判定した場合（Ｓ１０４においてＹｅｓの場合）、スライス情報記憶部１１０に記憶されている圧縮情報に基づいて、スライス映像の少なくとも一部が、圧縮された状態で転送された圧縮映像データに基づく圧縮映像であるか否かを判定する（Ｓ１０５）。
【００５０】
ＣＰＵ１１２は、表示部１０９に表示中の映像が圧縮映像を含むと判定した場合はＳ１０６に進み、グラフィックス重畳部１０８に、圧縮映像を含むことを示す警告情報としての警告グラフィックス５０２を表示部１０９に表示させる（Ｓ１０６）。ＣＰＵ１１２は、例えば、ユーザが画質調整操作をしてから画質のパラメータの変更が行われるまでの間、警告グラフィックス５０２を表示部１０９に表示させる。ＣＰＵ１１２は、Ｓ１０５において、表示部１０９に表示中の映像が圧縮映像を含まないと判定した場合は、Ｓ１０９に進む。
【００５１】
ＣＰＵ１１２は、Ｓ１０４において、表示部１０９に表示中の映像にスライス映像が含まれていないと判定した場合（Ｓ１０４においてＮｏの場合）、表示部１０９に表示中の映像が、圧縮された状態で伝送された圧縮映像であるか否かを判定する（Ｓ１０７）。ＣＰＵ１１２は、表示部１０９に表示中の映像が圧縮映像であると判定した場合（Ｓ１０７においてＹｅｓの場合）、ＣＰＵ１１２は、表示中の映像が圧縮された映像であることを示す警告グラフィックス５０２を表示部１０９に表示させる（Ｓ１０８）。ＣＰＵ１１２は、Ｓ１０８において、Ｓ１０６で表示した警告グラフィックス５０２と異なる、画面全体が圧縮されたことを示す情報を含むグラフィックスを表示部１０９に表示させてもよい。
【００５２】
その後、ＣＰＵ１１２は、操作部１１３が受けたユーザの画質調整の操作内容に基づいて、映像補正部１０６に、表示中の映像の映像データを補正させる（Ｓ１０９）。ＣＰＵ１１２は、Ｓ１０５において、表示部１０９に表示中の映像が圧縮映像を含まないと判定した場合、圧縮映像を含むことを示す警告グラフィックス５０２を表示部１０９に表示させることなく、Ｓ１０９に進む。また、ＣＰＵ１１２は、Ｓ１０７において、表示部１０９に表示中の映像が圧縮映像ではないと判定した場合、圧縮映像であることを示す警告グラフィックス５０２を表示部１０９に表示させることなく、Ｓ１０９に進む。
【００５３】
以上説明したように、実施形態１における表示装置１００は、表示部１０９に表示中の映像が、圧縮されて転送されたスライス映像データに基づく圧縮映像を含む場合に、ユーザが画質調整の操作をすると、表示中の映像が圧縮映像を含むことを示す警告用のグラフィックスを表示する。このようにすることで、ユーザは、表示中の映像に圧縮されて伝送された映像が含まれていることを認識することができるので、圧縮されて伝送されたことにより画質が低下している場合に、不要な画質調整が行われることを防止できる。
【００５４】
［実施形態２］
実施形態１においては、表示装置１００が表示中の映像に、伝送用のフレーム内圧縮（以下、「伝送用圧縮」という）が施された映像データに基づく圧縮映像が含まれている場合に、警告グラフィックスを表示した。これに対して、実施形態２における表示装置１００は、表示中の映像に対応する映像コンテンツ自体が、伝送用圧縮が施される前に圧縮されていた映像であるか否かを示す警告グラフィックスをさらに表示する点で、実施形態１と異なる。
【００５５】
電子機器５０は、伝送用圧縮をする前に、ＲＡＷデータから構成される映像コンテンツにＭＰＥＧ（Moving Picture Experts Group）等の符号化方式で用いられるフレーム間圧縮（以下、コンテンツ圧縮という）を施すことができる。実施形態２における表示装置１００の圧縮判定部１０３は、受信した映像データに伝送用圧縮が施されているか否かを判定するとともに、受信した映像データにコンテンツ圧縮が施されているか否かを判定する。また、復号化部１０４は、圧縮判定部１０３における判定結果に基づいて、伝送用圧縮に対応する復号化と、コンテンツ圧縮に対応する復号化とを行う。
【００５６】
ＣＰＵ１１２は、圧縮判定部１０３における判定結果に基づいて、表示中の映像が、伝送用圧縮が施された映像データに基づく圧縮映像を含むか否かを示すグラフィックス、及び、コンテンツ圧縮が施された映像データに基づく映像であるか否かを示すグラフィックスを表示部１０９に表示させる。図７は、実施形態２における表示部１０９に表示されるグラフィックスの一例を説明するための図である。図７においては、伝送用圧縮が施された映像データに基づく映像であることを示す「伝送圧縮」という警告グラフィックス５０２、及びコンテンツ圧縮が施されていない映像データに基づく映像であることを示す「コンテンツ非圧縮」という警告グラフィックス５０３が表示されている。
【００５７】
以上説明したように、実施形態２における表示装置１００は、表示部１０９に表示されている映像が、伝送用圧縮が施された映像であるか、コンテンツ圧縮が施された映像であるかに基づいて、警告グラフィックスの内容を切り替えることができる。したがって、ユーザは、画質の劣化が、伝送時の圧縮によるものであるのか、映像コンテンツ自体の圧縮によるものであるのか、これらの両方によるものであるのかを認識し、画質を調整すべきか否かを適切に判断することが可能になる。
【００５８】
［実施形態３］
実施形態１における表示装置１００は、表示部１０９が表示中の映像の一部のスライス領域が圧縮映像である場合に、圧縮映像が含まれていることを示す警告グラフィックスを表示した。これに対して、実施形態３における表示装置１００は、表示部１０９が表示中の映像の一部のスライス領域が圧縮映像である場合に、圧縮映像を表示しているスライス領域に対応させて、圧縮されていることを示すマーカーを表示する点で異なる。
【００５９】
図８は、実施形態３における表示装置１００における警告グラフィックスの表示例を説明するための図である。図８に示すように、表示装置１００は、ユーザが画質調整の操作をすると、圧縮映像が表示されているスライス領域に、圧縮映像マーカー５０４を重畳して表示する。マーカーは、ユーザが視認できる任意の態様であってよく、例えば、表示部１０９に表示されている映像を半透過させることができる画像である。
【００６０】
ＣＰＵ１１２は、送受信部１０１がスライス映像データを受信すると、圧縮判定部１０３による判定結果に基づいて、受信したスライス映像データに対応するスライス領域のマーカーを表示するか否かを判定する。具体的には、ＣＰＵ１１２は、スライス映像データが圧縮映像データである場合に、表示部１０９における当該スライス映像データのスライス領域に圧縮映像マーカー５０４を重畳して表示させる。ＣＰＵ１１２は、スライス映像データが非圧縮映像データである場合に、表示部１０９における当該スライス映像データのスライス領域に圧縮映像マーカー５０４を重畳して表示させない。
【００６１】
このようにすることで、送受信部１０１がスライス映像データを受信するたびに、スライス映像データに対応するスライス領域に圧縮映像が表示されているか非圧縮映像が表示されているかが更新される。ＣＰＵ１１２は、頻繁にマーカーの表示が切り替わることを防ぐために、それぞれのスライス領域の圧縮状態と非圧縮状態とが変化した後に、所定数の映像フレームにわたって変化後の状態が維持された場合に、マーカーの表示を切り替えてもよい。
【００６２】
以上説明したように、実施形態３における表示装置１００は、圧縮されて転送されたスライス映像を含むスライス領域に、所定の態様のマーカーを重畳して表示する。したがって、ユーザは、どの領域に圧縮映像が表示されているかを認識して、画質の調整をする必要があるか否かを適切に判断することが可能になる。
【００６３】
［実施形態４］
実施形態３における表示装置１００は、表示部１０９が表示中の映像の一部のスライス領域に圧縮映像が含まれている場合に、当該スライス領域にマーカー表示をした。これに対して、実施形態４における表示装置１００においては、ユーザが、画質を調整する領域を設定可能であり、表示装置１００は、画質を調整する領域に圧縮映像が含まれている場合に警告グラフィックスを表示する点で異なる。
【００６４】
図９は、実施形態４における表示装置１００における警告グラフィックスの表示例を説明するための図である。図９（ａ）は、画質調整領域内に圧縮映像が含まれている場合の画面５００を示している。図９（ａ）の画面５００には、圧縮映像が含まれていることを示す警告グラフィックス５０２が表示されている。図９（ｂ）は、画質調整領域内に圧縮映像が含まれていない場合の画面５００を示している。図９（ｂ）の画面５００には、警告グラフィックス５０２が表示されていない。
【００６５】
以下、実施形態４における表示装置１００における動作について説明する。
操作部１１３は、映像の画質を調整する領域を選択するユーザの操作を受け付ける。ＣＰＵ１１２は、例えば、画質調整領域の複数の候補を表示部１０９に表示させ、操作部１１３は、ユーザが選択した画質調整領域を受け付けて、調整領域情報を生成する。操作部１１３は、生成した調整領域情報をＣＰＵ１１２に通知する。
【００６６】
ＣＰＵ１１２は、操作部１１３から調整領域情報を取得すると、画質調整領域に圧縮映像が含まれているか否かを判定する。ＣＰＵ１１２は、画質調整領域に圧縮映像が含まれている場合に、図９（ａ）に示すように、警告グラフィックス５０２を表示部１０９に表示させる。ＣＰＵ１１２は、画質調整領域に圧縮映像が含まれていない場合に、図９（ｂ）に示すように、警告グラフィックス５０２を表示部１０９に表示させない。
【００６７】
以上説明したように、実施形態４における表示装置１００は、画質調整領域に圧縮映像が含まれる場合に、警告グラフィックス５０２を映像に重畳して表示させ、ユーザが画質を調整する予定がない領域に圧縮映像が含まれていても警告表示をしない。このようにすることで、ユーザは、画質調整を行う効果が大きい場合に、警告表示を見ることなく画質調整を実行することができ、画質調整を行う効果が小さい場合に、警告表示を見ることにより画質調整を中止することが可能になる。
【００６８】
［実施形態５］
実施形態１〜４において、表示装置１００は、表示部１０９に表示中の映像に、圧縮された状態で転送された映像データに基づく映像が含まれる場合に、警告グラフィックス５０２を表示部１０９に表示させていた。これに対して、実施形態５に係る表示装置１００は、表示部１０９に表示中の映像に、可逆圧縮されて転送された映像データに基づく映像が含まれているか不可逆圧縮されて転送された映像データに基づく映像が含まれているかに基づいて、警告グラフィックス５０２を表示するか否かを判定する点で異なる。
【００６９】
可逆圧縮されて転送された映像データは、復号化部１０４において、圧縮される前と同一の映像データに戻される。したがって、可逆圧縮されて転送された映像データに対しては、圧縮されないで転送された非圧縮映像データと同一の画質調整を適用することができる。
【００７０】
そこで、圧縮判定部１０３は、送受信部１０１から圧縮映像データの入力を受けた場合、受信した映像データのヘッダ情報に基づいて圧縮方式を判定する。ＣＰＵ１１２は、圧縮判定部１０３における圧縮方式の判定結果に基づいて、映像データが不可逆圧縮されている場合に、警告グラフィックス５０２を表示部１０９に表示させ、映像データが可逆圧縮されている場合に、警告グラフィックス５０２を表示部１０９に表示させない。
【００７１】
以上説明したように、実施形態５に係る表示装置１００は、映像データが可逆圧縮されて転送されたか不可逆圧縮されて転送されたかに基づいて、警告グラフィックス５０２を表示するか否かを判定する。そして、表示装置１００は、非圧縮映像データと同一の画質調整が可能な可逆圧縮された映像データに基づく映像が表示部１０９に表示されている場合に、警告グラフィックス５０２を表示しない。また、表示装置１００は、画質調整の効果が生じない不可逆圧縮された映像データに基づく映像が表示部１０９に表示されている場合に、警告グラフィックス５０２を表示する。このようにすることで、ユーザが、可逆圧縮された映像データに基づく映像が表示部１０９に表示されている場合に、画質調整をすることを可能にしつつ、不可逆圧縮された映像データに基づく映像が表示部１０９に表示されている場合に、画質調整をしてしまうことを防止できる。
【００７２】
なお、実施形態１〜５においては、映像データが圧縮映像であることを示す警告情報として、映像に重畳される警告グラフィックスを用いる例を説明したが、表示装置は、その他の任意の方法により警告情報を表示してもよい。例えば、表示装置は、発光ダイオードを点灯することにより、圧縮映像が表示されていることをユーザに通知してもよい。
【００７３】
また、実施形態１〜５においては、映像データのヘッダ情報に基づいて、映像データが圧縮されているか否かを判定する例を説明したが、表示装置１００は、他の方法で、映像データが圧縮されているか否かを判定してもよい。例えば、表示装置１００は、映像データを受信する経路と異なるＵＳＢ（Universal Serial Bus）等の信号線を介して取得した情報に基づいて、映像データが圧縮されているか否かを判定してもよい。
【００７４】
［実施形態６］
実施形態１〜５で説明した様々な機能、処理及び方法は、パーソナルコンピュータ、マイクロコンピュータ、ＣＰＵなどがプログラムを用いて実現することもできる。以下、実施形態６では、パーソナルコンピュータ、マイクロコンピュータ、ＣＰＵなどを「コンピュータＸ」と呼ぶ。また、実施形態６では、コンピュータＸを制御するためのプログラムであって、実施形態１〜５で説明した様々な機能、処理及び方法を実現するためのプログラムを「プログラムＹ」と呼ぶ。
実施形態１〜５で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態６におけるコンピュータ読み取り可能な記憶媒体は、ハードディスク装置、磁気記憶装置、光記憶装置、光磁気記憶装置、メモリカード、ＲＯＭ、ＲＡＭなどの少なくとも一つを含む。実施形態６におけるコンピュータ読み取り可能な記憶媒体は、ｎｏｎ−ｔｒａｎｓｉｔｏｒｙ（非一時的）な記憶媒体である。
【符号の説明】
【００７５】
１０１  送受信部
１０３  圧縮判定部
１０９  表示部
１１２  ＣＰＵ
１１３  操作部
【図１】
2016119594.tif 000003
【図２】
2016119594.tif 000004
【図３】
2016119594.tif 000005
【図６】
2016119594.tif 000006
【図４】
2016119594.tif 000007
【図５】
2016119594.tif 000008
【図７】
2016119594.tif 000009
【図８】
2016119594.tif 000010
【図９】
2016119594.tif 000011